(57)【要約】      （修正有）【課題】簡単な構成ながら物品を載置させる空間を犠牲にせず、脚を折曲げようとする外力に対する強度を高めることができる折畳み架台を提供する。【解決手段】物品を載置させるテーブル１０の下に、連結部２０によって脚３０が折畳み可能に取付けられた折畳み架台１であって、連結部は、少なくともテーブルの前後方向とテーブルの左外側又は右外側の三方を囲み脚が嵌装される中空柱部２２、中空柱部の前後方向の面に設けられた長孔２３、及び長孔の下方に離間して設けられた下側が開放された係合溝２４、を有する保持部２１と、脚の上部に設けられ長孔に挿着される第１ピン２５と、第１ピンの下方に離間して設けられる第２ピン２６と、を備える。【選択図】図１
0003196532.tif 000002
【実用新案登録請求の範囲】
【請求項１】
物品を載置させるテーブルの下に、連結部によって脚が折畳み可能に取付けられた折畳み架台であって、
前記連結部は、
少なくとも前記テーブルの前後方向と前記テーブルの左外側又は右外側の三方を囲み前記脚が嵌装される中空柱部、前記中空柱部の前後方向の面に設けられた長孔、及び前記長孔の下方に離間して設けられた下側が開放された係合溝、を有する保持部と、
前記脚の上部に設けられ前記長孔に挿着される第１ピンと、
前記第１ピンの下方に離間して設けられる第２ピンと、を備え、
前記脚が前記中空柱部に対して相対的に上昇したとき、前記係合溝と前記第２ピンとが係合することによって前記脚が固定され、
前記脚が前記中空柱部に対して相対的に下降したとき、前記係合溝と前記第２ピンとの係合が解除され、前記第１ピンを支点として前記テーブルの内側方向に前記脚が回動可能となることを特徴とする折畳み架台。
【請求項２】
水平方向に設けられた取付軸によって回動可能に軸支され、その底面が開口側に向かって傾斜されたフックと、
前記脚の側面に設けられた第３ピンと、を備え、
前記脚が前記テーブルの内側方向に回動されたとき、前記第３ピンが前記フックの底面に触れて摺動することで前記フックが回動し、前記第３ピンが前記フックの底面の先端を乗り越えたとき前記フックが重力によって戻り、前記フックと前記第３ピンとが係合されることを特徴とする請求項１に記載の折畳み架台。
【請求項３】
前記フックが前記取付軸に遊嵌され、前記フックが前記取付軸の軸方向に傾斜できるように構成されていることを特徴とする請求項２に記載の折畳み架台。
【請求項４】
前記テーブルにフック係止部を備え、
前記フックを使用しないとき前記フック係止部に係止させることで前記フックを固定できることを特徴とする請求項３に記載の折畳み架台。
【請求項５】
前記係合溝のうち前記テーブルの左右外側の溝縁が内側の溝縁より長く構成され、
前記第２ピンが前記脚の長手方向に長く構成されていることを特徴とする請求項１ないし４のいずれか１項に記載の折畳み架台。
【請求項６】
前記外側の溝縁と前記中空柱部の前後方向の面のうち前記内側の溝縁より内側の下端とで略逆Ｌ字状をなす段積係合部を備え、
前記脚が折り畳まれた状態で、前記段積係合部を下段にある別の折り畳み架台のテーブルの端部に載置させることで別の折り畳み架台のテーブルと前記段積係合部が係合し、積み重ね可能とすることを特徴とする請求項５に記載の折り畳み架台。
【請求項７】
前記脚が前記中空柱部に対して相対的に上昇したとき、前記中空柱部と前記脚の少なくとも１つの面を貫通する孔と、
前記貫通する孔に出し入れ可能な棒部を有する固定具と、
を備えることを特徴とする請求項１ないし６のいずれか１項に記載の折り畳み架台。
【考案の詳細な説明】
【技術分野】
【０００１】
本考案は、倉庫等における物品の保管、又は車両等における物品の輸送等に使用する、脚が折畳み可能な折畳み架台に関する。
【背景技術】
【０００２】
従来、この種の折畳み架台として、例えば特開２００５−１５３８１５号公報に、脚ホルダに互いに連通する遊嵌孔と係合孔を設けるとともに、遊嵌孔又は係合孔に移動可能なキー部材を設けた脚を備え、脚を脚ホルダに対して上下させることで、キー部材を遊嵌孔又は係合孔に移動させ、キー部材と遊嵌孔が係合するときは脚を回動自在にし、キー部材と係合孔が係合するときは脚を固定する荷物載せ台が開示されている。
【先行技術文献】
【特許文献】
【０００３】
【特許文献１】特開２００５−１５３８１５号公報
【考案の概要】
【考案が解決しようとする課題】
【０００４】
しかし、特許文献１に開示されている技術では、脚をキー部材と係合孔の１点で固定させるため、脚を折曲げようとする外力に対する強度を高めようとしたとき、キー部材を大型化する必要があり、それに伴い、キー部材を遊嵌させる遊嵌孔も大きくする必要があった。係る場合、脚ホルダが大型化してしまい、荷物載せ台の下部に載置させる物品の大きさが制限されてしまう恐れがあった。
【０００５】
また、特許文献１には、脚を折り畳んだ状態で荷物載せ台をフォークリフト等によって移動させるときに、脚を固定しておく構成については開示されていない。
【０００６】
本考案は、上記の点に鑑みなされたもので、脚を離間した２箇所のピン、及び前記２箇所のピンに対応する長孔と係合溝によって固定することで、簡単な構成ながら物品を載置させる空間を犠牲にせず、脚を折曲げようとする外力に対する強度を高めることができる折畳み架台を提供することを目的とする。
【０００７】
また、本考案の別の課題は、簡単な構成ながら簡単な操作によって、脚を折り畳んだ状態で固定することができる折畳み架台を提供することを目的とする。
【課題を解決するための手段】
【０００８】
本考案の折畳み架台は、
物品を載置させるテーブルの下に、連結部によって脚が折畳み可能に取付けられた折畳み架台であって、
前記連結部は、
少なくとも前記テーブルの前後方向と前記テーブルの左外側又は右外側方向の三方を囲み前記脚が嵌装される中空柱部、前記中空柱部の前後方向の面に設けられた長孔、及び前記長孔の下方に離間して設けられた下側が開放された係合溝、を有する保持部と、
前記脚の上部に設けられ前記長孔に挿着される第１ピンと、
前記第１ピンの下方に離間して設けられる第２ピンと、を備え、
前記脚が前記中空柱部に対して相対的に上昇したとき、前記係合溝と前記第２ピンとが係合することによって前記脚が固定され、
前記脚が前記中空柱部に対して相対的に下降したとき、前記係合溝と前記第２ピンとの係合が解除され、前記第１ピンを支点として前記テーブルの内側方向に前記脚が回動可能となることを特徴とする。
【０００９】
本考案の折畳み架台によれば、脚が中空柱部に対して相対的に上昇したとき、係合溝と第２ピンとが係合することによって脚が固定される。また、脚が中空柱部に対して相対的に下降したとき、係合溝と前記第２ピンとの係合が解除される。これらによって、テーブルを上下させるだけの簡単な作業で、脚が中空柱部に対して相対的に上昇又は下降し、脚の固定及び解除をすることができる。
【００１０】
また、脚の固定が、長孔と第１ピン、及び係合溝と第２ピンの離間した２箇所によってなされ、脚を折曲げようとする外力に対して強く抗することができる。また、第１ピンと第２ピンとの離間距離を長くし、当該離間距離に対応させた長孔と係合溝とすることで、容易に強度を向上させることができる。
【００１１】
本考案の折畳み架台の好ましい例は、
水平方向に設けられた取付軸によって回動可能に軸支され、その底面が開口側に向かって傾斜されたフックと、
前記脚の側面に設けられた第３ピンと、を備え、
前記脚が前記テーブルの内側方向に回動されたとき、前記第３ピンが前記フックの底面に触れて摺動することで前記フックが回動し、前記第３ピンが前記フックの底面の先端を乗り越えたとき前記フックが重力によって戻り、前記フックと前記第３ピンとが係合されることを特徴とする。
【００１２】
本考案の折畳み架台の好ましい例によれば、フックの底面が開口側に向かって取付軸方向に傾斜され、第３ピンがフックの底面に触れて摺動することでフックが回動する。このため、脚を折り畳む方向に回動する動作をさせるのみで、第３ピンとフックとが係合され、固定される。
【００１３】
本考案の折畳み架台の好ましい例は、
前記フックが前記取付軸に遊嵌され、前記フックが前記取付軸の軸方向に傾斜できるように構成されていることを特徴とする。
【００１４】
本考案の折畳み架台の好ましい例によれば、フックが取付軸に遊嵌され、フックが取付軸の軸方向に傾斜できるように構成されているため、フックの操作の自由度が増す。
【００１５】
本考案の折畳み架台の好ましい例は、
前記テーブルにフック係止部を備え、
前記フックを使用しないとき前記フック係止部に係止させることで前記フックを固定できることを特徴とする。
【００１６】
本考案の折畳み架台の好ましい例によれば、テーブルにフック係止部を備え、フックを使用しないときフック係止部に係止させることができるため、フックが物品を載置させる際の邪魔とならないようにすることができる。
【００１７】
本考案の折畳み架台の好ましい例は、
前記係合溝のうち前記テーブルの左右外側の溝縁が内側の溝縁より長く構成され、
前記第２ピンが前記脚の長手方向に長く構成されていることを特徴とする。
【００１８】
本考案の折畳み架台の好ましい例によれば、係合溝のうちテーブルの左右外側の溝縁が内側の溝縁より長く構成され、第２ピンが脚の長手方向に長く構成されているため、係合溝と第２ピンとを広い面積で接触させることができる。
【００１９】
本考案の折り畳み架台の好ましい例は、
前記外側の溝縁と前記中空柱部の前後方向の面のうち前記内側の溝縁より内側の下端とで略逆Ｌ字状をなす段積係合部を備え、
前記脚が折り畳まれた状態で、前記段積係合部を下段にある別の折り畳み架台のテーブルの端部に載置させることで別の折り畳み架台のテーブルと前記段積係合部が係合し、積み重ね可能とすることを特徴とする。
【００２０】
本考案の折り畳み架台の好ましい例によれば、段積係合部と下段の折り畳み架台のテーブルとが係合し、複数段の積み重ねが可能となる。
【００２１】
本考案の折り畳み架台の好ましい例は、
前記脚が前記中空柱部に対して相対的に上昇したとき、前記中空柱部と前記脚の少なくとも１つの面を貫通する孔と、
前記貫通する孔に出し入れ可能な棒部を有する固定具と、
を備えることを特徴とする。
【００２２】
本考案の折り畳み架台の好ましい例によれば、固定具の棒材を、中空柱部と脚の少なくとも１つの面を貫通する孔に挿入させることで、脚が中空柱部に対して相対的に上昇した状態で固定することができる。
【考案の効果】
【００２３】
以上説明したように、本考案の折畳み架台によれば、脚を離間した２箇所のピン、及び前記２箇所のピンに対応する長孔と係合溝によって固定することで、簡単な構成ながら物品を載置させる空間を犠牲にせず、脚を折曲げようとする外力に対する強度を高めることができ、さらに、第１ピンと第２ピンとの離間距離によって強度を変更することができるため、設計の自由度が増す。
【００２４】
また、本考案の折畳み架台の、フックを設ける例では、脚の折り畳み動作をさせるのみで脚が固定されるため、簡単な構成ながら簡単な操作によって、脚を折り畳たんだ状態で固定することができ、省力化を図ることができる。
【００２５】
また、本考案の折畳み架台の、フックが取付軸に遊嵌される例では、フックの操作の自由度が増すため、第３ピンからフックを取り外す際等において、フックが他の構成部品と接触するのを避けることができ、他の構成部品の設計の自由度が増す。
【００２６】
また、本考案の折畳み架台の、フック係止部を備える例では、フックを固定でき、フックが物品を折畳み架台の下側に載置させる際の邪魔とならないようにすることができるため、物品を載置させる空間を有効利用することができる。
【００２７】
また、本考案の折畳み架台の、係合溝の外側の溝縁及び第２ピンが長く構成されている例では、係合溝と第２ピンとが広い面積で接触するため、脚を折り畳もうとする外力に対する強度をより高めることができる。
【００２８】
また、本考案の折り畳み架台の、段積係合部を備える例では、折り畳み架台の重ね積みが可能となることで、折り畳み架台を使用しないときの置き場所の節約を図ることができる。
【００２９】
また、本考案の折り畳み架台の、中空柱部と脚の少なくとも１つの面を貫通する孔と、固定具とを備える例では、脚が開かれた状態で折り畳み架台をフォークリフト等で移動させるとき、脚が中空柱部に対して相対的に下降するのを防止することができるとともに、固定具の棒部が孔に挿入されることで脚を折曲げようとする外力に対しての強度を向上させることができる。
【図面の簡単な説明】
【００３０】
【図１】本考案の一実施形態に係る折畳み架台の脚を固定した状態での正面図及び連結部の拡大図である。
【図２】図１に示す折畳み架台の脚を折り畳んだ状態での正面図及び連結部の拡大図、並びにフックの拡大図である。
【図３】図１に示す折畳み架台の平面図及びフック周辺の拡大図である。
【図４】図１に示す折畳み架台の側面図及び連結部の拡大図である。
【図５】脚を折り畳む動作を説明する図である。
【図６】脚を折り畳む動作を説明する別の図である。
【図７】脚を開くときの動作を説明する図である。
【図８】脚を開くときの動作を説明する別の図である。
【図９】折畳み架台を積み重ねたときの状態を説明する図である。
【考案を実施するための形態】
【００３１】
以下、本考案の折畳み架台１の実施の形態について、添付図面を参照して詳細に説明する。図１（Ａ）は本考案の一実施形態に係る折畳み架台１の脚３０を固定した状態での正面図及び連結部２０の拡大図であり、図１（Ｂ）は連結部２０において脚３０を相対的に下降させたときの拡大図である。また、図２（Ａ）は折畳み架台１の脚３０を折り畳んだ状態での正面図及び連結部２０の拡大図、図２（Ｂ）はフック４０の拡大図、図３は折畳み架台１の平面図及びフック４０周辺の拡大図、図４は折畳み架台１の側面図及び連結部２０の拡大図である。
【００３２】
図１〜図４に示すように、本実施形態の折畳み架台１は、テーブル１０と、連結部２０と、脚３０と、フック４０とを備える。
【００３３】
テーブル１０は、角パイプ等の鋼材を平面視で矩形に組み合わせた外枠１１と、補強のために外枠１１の内側に同じく角パイプ等の鋼材を格子状に組み合わせた内枠１２とを備えるもので、その上面に貨物等の物品が載置される。また、左右方向に渡された外枠１１及び内枠１２の側面には、フォークリフトのフォークを差し込むことができるよう、フォーク差込み口１３が２箇所ずつ設けられる。また、左右方向に渡された外枠１１は、その両端部１１ａが、前後方向に渡された外枠より突出されるよう構成される。
【００３４】
また、左右方向に渡された外枠１１の内側側面には、フック４０を軸支するための取付軸１４と、フック４０を係止するためのフック係止部１７が備えられる。取付軸１４は図３の拡大図にも示すように、公知の長ナット１５が、その軸を水平方向かつ外枠１１の内側に向けて、溶接等の方法で外枠１１に接合され、さらに、前記長ナット１５に公知のボルト１６が螺着される構成となっている。フック係止部１７は、門型の鋼材からなり、その平らな面を垂直とするとともに開口側の端部が外枠１１の内側側面に、溶接等の方法で接合されている。
【００３５】
また、外枠１１の外側側面の四隅近傍には、段積係合部受け１８が設けられる。段積係合部受け１８は、外枠１１の上面より一段下がった位置に、水平な面を有するもので、本実施形態では角パイプからなる鋼材を所定の長さに切断し、外枠１１の外側側面に溶接等の公知の方法で接合して構成している。また、段積係合部受け１８は、連結部２０の上側に設けられることで、連結部２０とも溶接等の公知の方法で接合され、連結部２０の補強の役目も有する。
【００３６】
連結部２０は、図１（Ａ）の拡大図及び図１（Ｂ）にも示すように、テーブル１０側に設けられた保持部２１と、脚３０側に設けられた第１ピン２５及び第２ピン２６とを備える。
【００３７】
保持部２１は、テーブル１０の四隅近傍の下面に設けられており、中空柱部２２と、長孔２３と、係合溝２４と、段積係合部２８とを備える。中空柱部２２は、少なくともテーブル１０の前後方向とテーブル１０の左外側又は右外側の三方が、その平らな面を垂直方向として囲まれた断面略コ字状をなし、その内側空間に脚３０の上部が嵌装される。長孔２３は、中空柱部２２のうちテーブル１０の前後方向の面に長手方向を垂直方向として設けられたものである。係合溝２４は、中空柱部２２のうちテーブル１０の前後方向の面の下部に、前記長孔２３と離間して設けられたもので、その下側が開放されている。また、係合溝２４の左右の溝縁のうち、テーブル１０の左右外側の溝縁２４ａが、テーブル１０の内側の溝縁２４ｂより長く構成されている。
【００３８】
また、段積係合部２８は、係合溝２４の外側の溝縁２４ａと、中空柱部２２の前後方向の面のうち内側の溝縁２４ｂより内側の下端２２ａとで略逆Ｌ字状をなしている。そして、テーブル１０の左右方向端部に設けられた向かい合う中空柱部２２の段積係合部２８は、その開口側が下方を向くとともに、互いに向き合うよう構成される。
【００３９】
また、図４の拡大図にも示すように、中空柱部２２の側面には、脚３０を中空柱部２２に対して相対的に上昇させた状態で固定するための固定具として、第１固定具２７が設けられる。この第１固定具２７は、公知の錠前金具である丸落しを採用し、棒部２７ａとハンドル２７ｂとを備える。また、中空柱部２２の前後方向の面の１面には棒部２７ａを挿入するための孔Ｈが設けられる。
【００４０】
なお、中空柱部２２は、上述のようにテーブル１０の内側方向の面が開放された断面略コ字状をなすが、中空柱部２２の上半分は、後述する脚３０の回動を妨げない範囲で四角柱状とすることもできる。このように構成することで中空柱部２２に脚３０がその四方を囲まれながら嵌まり、脚３０を折曲げようとする外力に対する強度をより高めることもできる。
【００４１】
第１ピン２５は、脚３０の上部に、脚３０を前後方向に貫通するとともに、上述の長孔２３に挿着される形で設けられている。このため、脚３０を長孔２３の長さ分、中空柱部２２に対して相対的に上下させることができる。第２ピン２６は、第１ピン２５の下方に離間して設けられ、脚３０の側面から凸状に構成された略長円形状をなしている。そして、第２ピン２６は、その長手方向が脚３０の長手方向に沿うように設けられ、第２ピン２６の周縁が上述の係合溝２４の溝縁と係合するように構成されている。
【００４２】
脚３０は、テーブル１０の四隅近傍の下面に、連結部２０によって回動可能に設けられており、その側面に第３ピン３３を備えるとともに、その内側に一回り小さな伸縮脚３１を挿嵌させた二重構造となっており、前記伸縮脚３１を出し入れさせることによって、その長さを調整することができる。また、図４の拡大図にも示すように、脚３０の上部側面には、上述の第１固定具２７の棒部２７ａを挿入させるための孔Ｈ１が設けられる。この孔Ｈ１は、脚３０が中空柱部２２に対して相対的に上昇したとき、中空柱部２２の孔Ｈと重なるように構成され、孔Ｈと孔Ｈ１に第１固定具２７の棒部２７ａを挿入することで、中空柱部２２と脚３０とを固定することができる。
【００４３】
また、テーブル１０のそれぞれの左右端に設けられた脚２本が、側面視略エ字状の補強材３２で連結されている。また、前記補強材３２の下側の鋼材には、二重構造となった脚３０を所望の長さで固定するための第２固定具３４が設けられる。この第２固定具３４を、脚３０の下部に設けられた孔Ｈ２及び伸縮脚３１に設けられた孔Ｈ３に貫通させることで、脚３０の長さを固定するのである。なお、第２固定具３４としては、公知の錠前金具である丸落しを採用することができる。
【００４４】
フック４０は、図２（Ｂ）にも示すように、正面視で略Ｊ字状をなし、上部に取付軸１４のボルト１６より一回り大きな孔Ｈ４が設けられるとともに、その底面４１が背面側４２から開口側４３に向かって、取付軸１４（孔Ｈ４）方向に傾斜されている。また、フック４０は、孔Ｈ４がテーブル１０に設けられた取付軸１４のボルト１６に遊嵌され、孔Ｈ４とボルト１６との間に遊びがあることにより、図３の拡大図に示すように、取付軸１４の軸方向に傾けることができる。
【００４５】
次に、以上説明した各構成の要素を踏まえて、本実施形態の折畳み架台１の動作を説明する。図５（Ａ）（Ｂ）及び図６（Ａ）〜（Ｃ）は脚３０を折り畳むときの動作を説明する図であり、図７（Ａ）〜（Ｄ）及び図８（Ａ）（Ｂ）は脚３０を開くときの動作を説明する図である。なお、図７（Ｄ）は、図７（Ｃ）のＡ−Ａ線断面のうち一部を省略した図である。
【００４６】
先ず、本実施形態の折畳み架台１の脚３０を折り畳む動作を説明する。図１（Ａ）に示すように、折畳み架台１は、脚３０が立設され開いた状態となっている。このとき、図１（Ａ）の拡大図に示すように、係合溝２４と第２ピン２６とが係合し、脚３０は連結部２０の長孔２３と第１ピン２５、及び係合溝２４と第２ピン２６の２箇所で固定される。また、第１固定具２７（図４参照）の棒部２７ａが、中空柱部２２の孔Ｈと脚３０の孔Ｈ１に挿入され、脚３０が中空柱部２２に固定されている。この第１固定具２７が、中空柱部２２の孔Ｈと脚３０の孔Ｈ１に挿入されることによって、折畳み架台をフォークリフト等で運搬するために地面等から浮かせても、脚３０が中空柱部２２に対して相対的に下降することがなく、また、脚３０と連結部２０との固定箇所を増やすこととなり、脚３０を折曲げようとする外力に対しての強度を向上させることができる。
【００４７】
次に、ハンドル２７ｂを操作し、棒部２７ａを中空柱部２２の孔Ｈと脚３０の孔Ｈ１から抜き、第１固定具２７による中空柱部２２と脚３０との固定を解除した状態で、フォークリフト等でテーブル１０を上昇させる。すると、図１（Ｂ）に示すように、長孔２３の長さ分、脚３０が中空柱部２２に対して相対的に下降する。この状態で、係合溝２４と第２ピン２６は係合しておらず、脚３０は第１ピン２５を支点として、テーブル１０の内側方向に自由に回動させることができる。
【００４８】
次に、図５（Ａ）（Ｂ）に示すように、脚３０をテーブル１０の内側の折り畳む方向に回動させる。このとき、フック４０は、フック係止部１７より外しておき、フック４０自体の重さでその長手方向が略垂直となるようにしておく。
【００４９】
次に、図６（Ａ）に示すように、さらに脚３０を回動させて、第３ピン３３をフック４０の底面４１に当接させる。すると、フック４０の底面４１はフック４０の開口側４３に向かって取付軸１４方向に傾斜されているため、第３ピン３３がフック４０の底面４１に触れながら摺動し、フック４０が背面側４２に回動する。
【００５０】
次に、図６（Ｂ）に示すように、さらに脚３０が回動され、第３ピン３３がフック４０の底面４１の先端を乗り越えると、フック４０は重力によって元の略垂直状態に戻る。そして、脚３０を回動させる力を除去すると、図６（Ｃ）に示すように、フック４０と第３ピン３３とが係合し、脚３０が固定される。この脚３０が折り畳まれ固定された状態を示す折畳み架台１の正面図、及びそのときの連結部２０の拡大図が図２（Ａ）である。
【００５１】
次に、本実施形態の折畳み架台１の脚３０を折り畳んだ状態から開くときの動作を説明する。図７（Ａ）は、折畳み架台１において、脚３０を折畳み、脚３０をフック４０で固定された状態を示す図である。ここから、図７（Ｂ）に示すように、脚３０の先端を持ち上げ、フック４０と第３ピン３３との係合を解除した状態で、フック４０をその背面側４２に回動させる。次に、図７（Ｃ）（Ｄ）に示すように、フック４０を取付軸１４の軸方向に傾け、第３ピン３３を避けながら、フック４０の開口側４３に回動させる。次に、図８（Ａ）に示すように、回動させたフック４０の背面側４２を第３ピン３３に当接させ、フック４０を仮置きする。なお、このとき、フック４０はテーブル１０に設けられたフック係止部１７に係止させてもよい。次に、補強材３２で連結されたもう片方の脚３０を固定しているフック４０も同様に第３ピン３３から外し、図８（Ｂ）に示すように、脚３０を開く方向に回動させる。
【００５２】
そして、重力によって脚３０がその長手方向を略垂直としたところで、連結部２０は図１（Ｂ）に示すように、脚３０が中空柱部２２に対して相対的に下降した状態となる。次に、テーブル１０を下降させることによって、脚３０の先端が地面等に接地し、脚３０が中空柱部２２に対して相対的に上昇し、図１（Ａ）の拡大図に示すように係合溝２４と第２ピン２６とが係合し、脚３０が固定される。また、フック４０と第３ピン３３との係合が解除された後、任意のタイミングでフック４０をテーブル１０に設けられたフック係止部１７に係止させる。
【００５３】
次に、図９を参照して、折り畳み架台を積み重ねた状態を説明する。図９（Ａ）は脚３０を折畳んだ状態で折畳み架台を積み重ねたときの状態を説明する図とそのときの段積係合部２８の拡大図であり、図９（Ｂ）は段積係合部２８が含まれる中空柱部２２を側面から見た拡大図である。
【００５４】
図９（Ａ）（Ｂ）に示すように、向かい合う中空柱部２２の段積係合部２８のうち、外側の溝縁２４ａ同士の離間距離は、テーブル１０の外枠１１の外寸より僅かに広く構成されている。このため、脚３０を折畳んだ状態で、折り畳み架台１を、その下段にある折り畳み架台１のテーブル１０に載置させると、段積係合部２８とテーブル１０の外枠１１とが係合し、テーブル１０の左右方向に対する移動が規制される。また、テーブル１０の前後方向は、左右方向に渡された外枠１１の両端部１１ａが突出しており、当該部分によって中空柱部２２の前後方向の移動が規制される。このようにして、折り畳み架台１を複数台積み重ねることができるのである。
【００５５】
なお、本実施形態の折り畳み架台１では、上段の折り畳み架台１の中空柱部２２を、下段の折り畳み架台１のテーブル１０上面に載置させているが、外側の溝縁２４ａをさらに長くした構成では、上段の折り畳み架台１の中空柱部２２を、下段の折り畳み架台１の段積係合部受け１８の上面に載置させることとなる。
【００５６】
以上説明したように、本考案の折畳み架台によれば、簡単な構成ながら、長孔と第１ピン、及び係合溝と第２ピンという離間した２箇所で脚を固定するため、強度に優れた折畳み架台とすることができる。さらに、係合溝のうちテーブルの左右外側の溝縁が内側の溝縁より長く構成され、第２ピンが脚の長手方向に長く構成されているため、係合溝と第２ピンとを広い面積で接触させることができ、より強度に優れた折畳み架台とすることができる。また、第１固定具を、中空柱部の孔と脚の孔とに貫通させることで、固定箇所を増やし、さらなる強度の向上を図ることができる。
【００５７】
また、長孔と係合溝、及び第１ピンと第２ピンの離間距離を広げることで、脚を折曲げようとする外力に対する強度をより向上させることができる。一方、強度があまり必要でない場合には、前記離間距離を狭めることで、連結部をコンパクトにすることができる。
【００５８】
また、脚が開かれ固定された状態から、テーブルをフォークリフト等で持ち上げるだけで、脚が中空柱部に対して相対的に下降し、脚の固定を解除することができる。また、その状態から、脚を折り畳む方向に回動させるだけで、フックと第３ピンとが係合し、その他の作業を必要とせずに脚を折り畳んだ状態で固定することができる。また、脚を折り畳んだ状態から開くときも、フックを取付軸の軸方向に傾かせることができるため、補強材で連結された脚の片方ずつフックを第３ピンから外すことができ、作業者一人で脚を開く作業を容易に行なうことができる。そして、これらによって、作業の省力化を図ることができる。
【００５９】
また、脚を折畳んだ状態で、折り畳み架台を複数台積み重ねることができ、折り畳み架台を使用しないときに、設置スペースの節約を図ることができる。
【００６０】
なお、上述した折畳み架台は本考案の例示であり、本考案の趣旨を逸脱しない範囲において、その構成を適宜変更することができる。
【符号の説明】
【００６１】
１・・折畳み架台、
１０・・テーブル、１１・・外枠、１２・・内枠、１３・・フォーク差込み口、１４・・取付軸、１５・・長ナット、１６・・ボルト、１７・・フック係止部、１８・・段積係合部受け、
２０・・連結部、２１・・保持部、２２・・中空柱部、２３・・長孔、２４・・係合溝、２５・・第１ピン、２６・・第２ピン、２７・・第１固定具、２８・・段積係合部、
３０・・脚、３１・・伸縮脚、３２・・補強材、３３・・第３ピン、３４・・第２固定具、
４０・・フック、４１・・底面、４２・・背面側、４３・・開口側、
Ｈ，Ｈ１，Ｈ２，Ｈ３，Ｈ４・・孔、
【図１】
0003196532.tif 000003
【図２】
0003196532.tif 000004
【図３】
0003196532.tif 000005
【図４】
0003196532.tif 000006
【図５】
0003196532.tif 000007
【図６】
0003196532.tif 000008
【図７】
0003196532.tif 000009
【図８】
0003196532.tif 000010
【図９】
0003196532.tif 000011